(57)【要約】【課題】訓練者に対応した器具位置の調整を可能とする。【解決手段】両端部にグリップ２７を有してフレーム２０に対して回転軸２３により回動可能に斜め下向きに支持された略Ｕ字形のレバー２６を、フレーム２０近傍のウエイト吊支持用枠体５０内で昇降可能なウエイトＷの選択した負荷に抗して前後方向へ回動させることにより、所定部位の筋肉訓練を行う身体訓練装置１において、レバー２６先端のグリップ２７の回転軸２３に対する位置を、訓練者の状態に対応して調整する位置調整部が設けられてなる。【選択図】  図１
2004201944.tif 000002
【特許請求の範囲】
【請求項１】
両端部にグリップを有してフレームに対して回転軸により回動可能に斜め下向きに支持された略Ｕ字形のレバーを、前記フレーム近傍のウエイト吊支持用枠体内で昇降可能なウエイトの選択した負荷に抗して前後方向へ回動させることにより、所定部位の筋肉訓練を行う身体訓練装置において、
前記グリップの前記回転軸に対する位置を、訓練者の状態に対応して調整する位置調整部が設けられてなることを特徴とする身体訓練装置。
【請求項２】
前記位置調整部は、前記グリップの方向を回転軸の方向に対してレバー回りに回転可能として前記レバーに前記グリップを固定することを特徴とする請求項１記載の身体訓練装置。
【請求項３】
前記回転軸に対する固定位置の異なる複数のグリップが前記レバーに固定されることを特徴とする請求項１または２記載の身体訓練装置。
【請求項４】
前記位置調整部は、前記レバーから突出量および突出方向調整可能に設けられたグリップ固定部を有し、このグリップ固定部先端に前記グリップが設けられることを特徴とする請求項１から３のいずれか記載の身体訓練装置。
【請求項５】
前記位置調整部は、前記レバーからこのレバーの回動方向に突出量調整可能に設けられたグリップ固定部を有し、このグリップ固定部先端に前記グリップが設けられることを特徴とする請求項４記載の身体訓練装置。
【発明の詳細な説明】
【０００１】
【発明の属する技術分野】
本発明は、この発明は身体訓練装置、特にチェストプレストレーニングマシンとして知られる筋肉訓練装置の改良に係り、医療用またはリハビリテーション等の訓練に用いて好適な技術に関する。
【０００２】
【従来の技術】
チェストプレストレーニングマシンは大胸筋、三角筋（前側）及び上腕三頭筋の身体訓練装置である。
従来のチェストプレストレーニングマシンは、床面等に載置するフレームの一端部にウエイト吊支持用枠体を垂設し、この枠体の下部から前方側に傾斜して基台を配設し、この基台にシートを配設し、フレームの他端部にステップを所定の高さで配設し、シートの後方下部付近のフレームに適宜の軸受で支持されるシャフトを設け、このシャフトの両端部にレバーを立設して略Ｕ字形にして前後方向へ回動可能にしたものであった。レバーの上端部にはグリップがほぼ直交して突設されている。
【０００３】
【特許文献１】
特開平０９−２９４８２３号公報
【０００４】
【発明が解決しようとする課題】
しかし、上記のチェストプレストレーニングマシンは、主に、健常者が筋力鍛錬等の身体訓練をするために構成されており、老人、非健常者等への筋力トレーニング、あるいは、疾病後や障害者へのリハビリテーション等に使用することを考慮した構成にはなっていない。このため現状の装置を使用して非健常者がトレーニングをおこなった場合には、非健常者等である訓練者に対する負荷の制御が大まかすぎて、結果的に過負荷状態になったり、負荷が少なすぎて所望の訓練効果を得られなかったりするという問題があった。
また、上肢や身体の他の部位に運動機能障害を有するような訓練者が使用する場合には、可動領域が充分に撮れないために、訓練者がグリップを把持できるようにグリップの初期位置を調整できるようにしなければならず、しかも、上述した部分の筋肉を訓練可能なように各訓練者の状態に即した位置にグリップをもってくる必要があった。このためグリップ側に保持位置を調節する構成を有することが必要であり、このためトレーニング時の負荷の値が健常者用とは異なってしまい、より精確な負荷のコントロールが必要な非健常者に対して、負荷の正確性が低下するという問題があった。
【０００５】
本発明は、上記の事情に鑑みてなされたもので、以下の目的を達成しようとするものである。
１．訓練者の状態に合わせてより細かい負荷の調節を可能とすること。
２．訓練者の状態に合わせてより細かい訓練内容に対応可能とすること。
３．訓練者に対応した器具位置の調整を可能とすること。
【０００６】
【課題を解決するための手段】
本発明は、両端部にグリップを有してフレームに対して回転軸により回動可能に斜め下向きに支持された略Ｕ字形のレバーを、前記フレーム近傍のウエイト吊支持用枠体内で昇降可能なウエイトの選択した負荷に抗して前後方向へ回動させることにより、所定部位の筋肉訓練を行う身体訓練装置において、
前記グリップの前記回転軸に対する位置を、訓練者の状態に対応して調整する位置調整部が設けられてなることにより上記課題を解決した。
本発明において、前記位置調整部は、前記グリップの方向を回転軸の方向に対してレバー回りに回転可能として前記レバーに前記グリップを固定することが望ましい。
また、本発明において、前記回転軸に対する固定位置の異なる複数のグリップが前記レバーに固定される手段を採用することもできる。
本発明における前記位置調整部は、前記レバーから突出量および突出方向調整可能に設けられたグリップ固定部を有し、このグリップ固定部先端に前記グリップが設けられることがある。
本発明は、前記位置調整部は、前記レバーからこのレバーの回動方向に突出量調整可能に設けられたグリップ固定部を有し、このグリップ固定部先端に前記グリップが設けられることができる。
【０００７】
本発明の身体訓練装置のレバー先端にはグリップが設けられ、このグリップの回転軸に対する位置を、訓練者の状態に対応して調整する位置調整部が設けられてなることにより、非健常者訓練時に、訓練者が上肢の運動に障害がある場合などに、座った位置に対してグリップの把持位置を非健常者の運動能力に合わせて健常者の使用状態とは変化させる、あるいは、このリハビリテーション等のため、その訓練目的のために健常者の使用状態とは変化させるために、レバー先端付近のグリップを、非健常者等訓練用の所定の初期位置に調整することが可能となり、健常者に比べて上肢などの可動領域の狭い訓練者にも訓練可能とするとともに、訓練状態を精確に設定して、より細かな設定が必要である非健常者の訓練に使用することが可能となる。
【０００８】
本発明において、前記位置調整部は、前記グリップの方向を回転軸の方向に対してレバー回りに回転可能として前記レバーに前記グリップを固定することにより、グリップ方向を調整して設定することにより、非健常者訓練時に訓練者がグリップを把持しやすくすることができる。
【０００９】
具体的には、パイプ状のレバー（外パイプ）に対して同軸に嵌合されたレバーパイプ（内パイプ）先端にグリップが設けられ、レバーおよびレバーパイプに設けられた固定穴に固定ピンを貫通することでグリップのレバーに対する固定位置を調整可能とすることができる。これらレバーパイプ、固定穴、固定ピン等は訓練者の状態に対応してグリップの把持位置を調節するための位置調整部を構成している。
【００１０】
ここで、レバーパイプの断面外形とレバーの断面内形とはそれぞれほぼ等しいか相似の多角形とされ、多角柱パイプとされるレバーパイプには前記断面外形の各辺に対応して各面に固定穴が設けられる。また、レバーには周方向１つだけ固定穴が設けられる。
レバーパイプをレバーに嵌挿する際に、これらレバーパイプとレバーの多角形の辺がどこに来るように挿入するかによって、レバーパイプのどの固定穴に固定ピンを嵌合するかが設定可能となる、これにより、グリップがどの方向を向くかを設定することができる。
【００１１】
なお、このレバーパイプの断面外形とレバーの断面内形との多角形は正多角形を選択することができ、特に、正３角形、正４角形、正６角形、正８角形等を選択することが可能である。
【００１２】
また、レバーパイプの断面外形とレバーの断面内形とをそれぞれ円形とし、任意の角度間隔を持ってレバーパイプ周囲にあけた複数の固定穴によって、レバーパイプとレバーとの固定方向を設定することも可能である。レバー側にも複数の固定穴をあけることや、レバーパイプの固定穴を多角形の場合の周方向間隔よりも細かくすることで、多角形の断面形状を選択した場合よりも、より細かなグリップ角度設定をおこなうことが可能となる。
【００１３】
また、本発明において、前記回転軸に対する固定位置の異なる複数のグリップが前記レバーに固定されることにより、グリップ位置を調整することなく、非健常者の状態に対応してグリップのレバーに対する取付位置が異ならせることができ、これらの違いに対応してレバーの訓練用負荷を調整するのと同等の訓練を切り替えておこなうことが可能となる。
【００１４】
本発明における前記位置調整部は、前記レバーから突出量および突出方向調整可能に設けられたグリップ固定部を有し、このグリップ固定部先端に前記グリップが設けられることにより、グリップ固定部の突出量および突出方向を設定することで、グリップ把持位置を設定して、非健常者等の訓練状態に対応した訓練をおこなうことができる。
【００１５】
具体的には、レバー先端にこのレバーの回転軸と平行なグリップ回転軸により回転可能な円板と、この円板の径方向に突出して固定されるアームと、レバーに対して円板を固定解除可能に固定する固定部とを有し、前記アーム先端にグリップ回転軸に対して平行にグリップが設けられることができる。固定部は、円板に設けられた複数の凹部または固定穴と、この凹部または固定穴に嵌合可能かつ挿抜可能とされる固定ピンとからなることができる。
【００１６】
本発明は、前記位置調整部は、前記レバーからこのレバーの回動方向に突出量調整可能に設けられたグリップ固定部を有し、このグリップ固定部先端に前記グリップが設けられることにより、グリップ固定部の突出量および突出方向を設定することで、グリップ把持位置を設定して、非健常者等の訓練状態に対応した訓練をおこなうことができる。
【００１７】
【発明の実施の形態】
以下、本発明に係る身体訓練装置の第１実施形態を、図面に基づいて説明する。
【００１８】
図１は本実施形態の身体訓練装置を示す側面図、図２は同平面図、図３は同正面図であり、図において、符号１は身体訓練装置である。
【００１９】
本実施形態の身体訓練装置１は、図１〜図３に示すように、床面等に斜めに立設された前フレーム２０ｂと、この前フレーム２０ｂの上下端に接続された略Ｌ字状のＬフレーム２０とを有する。このＬフレーム２０は、前後方向に延在するように床面に載置する所定長さのアンダーバー２０ｃとこのアンダーバー２０ｃから立設されるポール２０ａとを有し、これらアンダーバー２０ｃの先端とポール２０ａ上端とが前フレーム２０ｂに接続されている。
【００２０】
前フレーム２０ｂにはシートパッド３４が設けられ、このシートパッド３４の下側にはフレーム２０ｂから前方に突出するようにシート固定部３０が設けられる。シート固定部３０は、前フレーム２０ｂから前方に突出するパイプ３１と、このパイプ３１先端にフレーム２０ｂと平行状態として設けられた固定パイプ３１ａと、固定パイプ３１ａの上側に軸方向で嵌合する嵌合パイプ３１ｂとを有し、この嵌合パイプ３１ｂの上端にはシートパッド３２が固定され、シートパッド３４，３２によってシート３３が構成される。また、シート固定部３０には互いに嵌合したパイプ３５ａ，３５ｂが設けられ、図示しない外側パイプ３５ａを貫通する位置設定ピンを、内側パイプ３５ｂに設けられた固定穴または凹部に嵌めることにより、シート３３の高さを調節するロック機構となっている。
【００２１】
シート固定部３０の近傍には、シートパッド３２より下側かつ前方位置に訓練中足を乗せるステップバー３７が左右方向に延在するように設けられ、このステップバー３７も、嵌合したパイプ３７ａ，３７ｂのうち外側のパイプ３７ａに設けられた固定ねじ３７ｃによって前後方向に固定位置設定可能に設けられる。
【００２２】
前フレーム２０ｂの上端近傍には軸受け２２を介してシャフト（回転軸）２３が回転可能に軸支されるとともに、このシャフト２３を回転軸とするように、シャフト２３にレバー２６，２６が斜め前方下側に固定される。レバー２６，２６およびシャフト２３は合わせてＵ字状、またはＶ字状となるように一体に設けられる。
レバー２６の両端部には握持位置を異にするグリップ２７，２８が突設されている。
【００２３】
パイプ状のレバー（外パイプ）２６には、このレバー２６に対してレバーパイプ（内パイプ）２６ａが同軸に嵌合されており、レバーパイプ２６ａ先端側にはグリップ２７およびグリップ２８が設けられ、レバー２６の長さ方向に感覚を持って複数に設けられた固定穴２６ｂおよびレバーパイプ２６ａに設けられた固定穴２６ｄに固定ピン２６ｃを貫通することでグリップ２７，２８のレバー２６に対する固定位置を調整可能となっている。ここで、レバー２６の固定穴２６ｂを選択することでグリップ２７，２８のレバー２６の延在する方向における固定位置が設定できる。
これらレバーパイプ２６ａ、固定穴２６ｂ、固定ピン２６ｃ等は訓練者の状態に対応してグリップ２７，２８の把持位置を調節するための位置調整部を構成している。
【００２４】
ここで、レバーパイプ２６ａの断面外形とレバー２６の断面内形とは、図４（ａ）〜（ｃ）に示すようにそれぞれほぼ等しいか相似の多角形とされ、多角柱パイプとされるレバーパイプ２６ａには前記断面外形の各辺に対応して各面に固定穴２６ｄ、２６ｄが設けられる。また、レバー２６には周方向１つだけ固定穴２６ｂが設けられる。
レバーパイプ２６ａをレバー２６に嵌挿する際に、これらレバーパイプ２６ａとレバー２６の多角形の辺がどこに来るように挿入するかによって、レバーパイプ２６ａのどの固定穴２６ｄに固定ピン２６ｃを嵌合するかが設定可能となる、これにより、グリップ２７，２８がどの方向を向くかを設定することができる。
【００２５】
なお、このレバーパイプ２６ａの断面外形とレバー２６の断面内形との多角形は正多角形を選択することができ、特に、図４（ａ）に示す正４角形、図４（ｂ）に示す正６角形等を選択することが可能である。
【００２６】
また、図４（ｃ）に示すように、レバーパイプ２６ａの断面外形とレバー２６の断面内形とをそれぞれ円形とし、任意の角度間隔を持ってレバーパイプ２６ａ周囲にあけた複数の固定穴２６ｄによって、レバーパイプ２６ａとレバー２６との固定方向を設定することも可能である。ここで、レバーパイプ２６ａの固定穴２６ｄを、図４（ａ）（ｂ）に示した多角形の場合の周方向間隔よりも細かくすることで、多角形の断面形状を選択した場合よりも、より細かなグリップ２７，２８角度設定をおこなうことが可能となる。
【００２７】
シャフト２３には、レバー２６と反対側（後方側）にカウンターアーム２４を介して、カウンターウエイト２５が設けられるとともに、シャフト２３のレバー２６，２６の間にアーム４１が垂設され、これらシャフト２３、カウンターアーム２４、アーム４１、カウンターウエイト２５は、レバー２６，２６と一体に前後方向へ揺動可能とされている。シャフト４１の後方位置にはＬフレーム２０にストッパ２９が設けられ、アーム４１がこのストッパ２９に当接することでレバー２６の後方回動位置を規制している。
【００２８】
カウンターウエイト２５は円柱状の金属製とされその軸線がシャフト２３と平行になるように設けられるとともに、このカウンターウエイト２５にはカウンターウエイト２５の重量に対してレバー２６の負荷をコントロールするための調整部６０が設けられいる。
【００２９】
調整部６０は、カウンターウエイト２５の一端中央にシャフト２３と平行に突出した固定軸６１と、カウンターウエイト２５円柱と略同径でカウンターウエイト２５と同材料からなる円盤状の調整重り６２と、固定軸６１端部に螺合可能な固定ねじ６３とからなる。この調整重り６２は、固定軸６１に着脱可能なように中央部に着脱穴６２ａが設けられており、固定軸６１に所定の枚数の調整重り６２の着脱穴６２ａを通して固定ねじ６３を固定することで、訓練中に調整重り６２が離脱しないようにすることができる。
【００３０】
シャフト２３にはレバー２６に対する訓練時負荷を設定するための負荷設定手段が接続されている。
負荷設定手段としては、シャフト２３のレバー２６，２６の間にアーム４１が垂設され、このアーム４１先端にベルト４２の一端が接続されている。ベルト４２の他端は、フレーム２０の下部に設けられシャフト２３と平行に回動可能なシャフト４３に取り付けられたローラ４４周囲に巻回されるとともにこのローラ４４の周囲に固定されている。ベルト４２は、アーム４１がシャフト２３を回動中心として前後方向に揺動する際、ローラ４５を介してローラ４４およびシャフト４３を回動させるよう伸縮しないようになっている。
【００３１】
シャフト４３の一端はＬフレーム２０に回転可能に支持されるとともに、シャフト４３の他端は、Ｌフレーム２０と左右方向にずれた平行な位置に設けられるウエイト吊支持用枠体５０に回転可能に支持され、シャフト４３のウエイト吊支持用枠体５０側にはローラ５８が固定されている。
ウエイト吊支持用枠体５０は２本のアンダーバー５１，５１とサイドバー５２によりＬフレーム２０と接続され、その内部に立設されたガイドロッド５３，５３に沿って昇降可能にウエイト連結部５４が設けられ、このウエイト連結部５４には複数のウエイトＷ，Ｗが載置可能とされる。
【００３２】
このウエイト連結部５４にはワイヤ５５の一端が固定接続され、このワイヤ５５は、ローラ５６，５７を介してシャフト４３に固定されたローラ５８に巻回されており、ワイヤ５５の他端はローラ５８に固定されている。
ウエイト連結部５４はウエイトＷの所望枚数を適宜選択してピンで脱着する公知のものである。ウエイトＷはウエイト吊支持用枠体５０内に垂設したガイドロッド５３に沿って昇降できる公知のものである。ウエイトＷは枠体５０をほぼ包囲して設けられた樹脂製のカバーによって遮蔽されている。
【００３３】
このチェストプレストレーニングマシンで筋力トレーニングまたはリハビリテーション訓練をする者は、シート３３に着座し両足をステップバー３７に載せるとともに、パッド３４に背中を押し付け、両手でレバー２６，２６のグリップ２７またはグリップ２８を握持してレバー２６，２６を前方へ押し倒すように回動すると、レバー２６，２６はシャフト２３を中心として図１に示す仮想線図示のように前方へ回動する。
【００３４】
これにより、シャフト２３とともにアーム４１が回動して、アーム４１先端に固定されたベルト４２が引張されローラ４４が回動する。ローラ４４とともにシャフト４３によって一体とされたローラ５８が回動して、ワイヤ５５が引張される。
このレバー２６，２６に連結されたワイヤ５５がウエイト吊支持用枠体５０に昇降可能に吊支されているウエイト連結部５４を引き上げることにより、設定された重量のウエイトＷの負荷が生じる。そこで、両足をステップバー３７に載置し、設定したウエイトＷの重量でレバー２６，２６が元の位置に戻ろうとする力に抗しながらレバー２６，２６を元の位置に復帰させることにより、前記所定部位の筋肉訓練またはリハビリテーションをおこなうことができる。
【００３５】
ここで、位置調整部としてのレバーパイプ２６ａをレバー２６に対して伸縮することで把持位置調整をおこなった場合には、シャフト（回転軸）２３に対するレバー２６の訓練負荷が変化してしまうが、その際には、調整部６０により、これを調整することになる。
【００３６】
本実施形態の身体訓練装置においては、グリップ２７，２８の位置を位置調整部によって調整可能なため、健常者に比べてより細かな訓練負荷の設定が必要な非健常者の訓練にあっても、より効果的な訓練が可能となる。例えば、可動範囲の狭い訓練者にはグリップ２８を使用させ、より可動範囲の広い訓練者にはグリップ２７を使用させることが可能である。
【００３７】
さらに、レバーパイプ２６ａをレバー２６に対して伸縮させること、およびその際の固定方向を設定することにより、グリップ２７，２８把持に対する機能障害を有する訓練者のためにグリップ２７，２８把持を可能として訓練をおこなうことが可能である。
【００３８】
以下、本発明に係る身体訓練装置の第２実施形態を、図面に基づいて説明する。
【００３９】
本実施形態において第１実施形態と異なるのは、複数のグリップではなく、一対のグリップを有する点と、異なる位置調整部を有する点であり、これ以外の略同等の構成には、同一の符号を付してその説明を省略する。
図５は本実施形態における位置調整部を示す側面図（ａ）平面図（ｂ）である。
【００４０】
本実施形態の位置調整部においては、レバー２６先端にこのレバー２６回転軸つまりシャフト２３と平行なグリップ回転軸８１により回転可能に取り付けられた円板８２と、この円板８２の径方向に突出して固定されるアーム８３と、レバー２６に対して円板８２を固定解除可能に固定する固定部８４とを有し、前記アーム８３先端にグリップ回転軸８１に対して平行にグリップ２７が設けられている。
【００４１】
固定部８４は、円板８２周囲に設けられた複数の凹部８４ａと、この凹部８４ａに嵌合可能かつ挿抜可能とされる固定ピン８５とからなる。固定ピン８５は、図５（ｃ）に示すように、内部にばね８５ａを有し、ノブ８５ｂを引くと先端ピン８５ｃが引っ込み、それ以外のときはばね８５ａに付勢されて先端ピン８５ｃが突出している状態とされている。
【００４２】
円板８２の回転位置を、どの凹部８４ａに固定ピン８５を挿入するかで設定することで、レバー２６に対するアーム８３の角度を設定し、これによって、レバー２６に対するグリップ２７の位置を調整することが可能となる。
【００４３】
本実施形態においては、レバー２６に対するグリップ２７の固定位置を、レバー２６回転軸（シャフト）２３と平行なグリップ回転軸８１回りに固定位置設定可能な構成としたため、レバー２６の初期位置において、シャフト２３に対するグリップ２７位置をアーム８３の回動可能範囲に応じてより広範囲に設定することが可能となる。この結果、上記の実施形態と同様の効果を得ることができるとともに、例えば初期位置においてレバー２６よりも前側にグリップ２７を位置することができるため、上肢の可動範囲が狭い訓練者であってもシート３３によって設定される最適姿勢で訓練をおこなうことが可能となる。
【００４４】
なお、アーム８３をレバー２６とレバーパイプ２６ａとの構造と同様の嵌合パイプとして固定位置調整可能にすることにより、レバー２６に対して、このレバー２６の回動方向（揺動方向）にグリップ２７の固定位置を設定することが可能となるとともに、グリップ２７固定方向をより一層細かく設定することが可能となり、より高範囲の訓練に使用することが可能となる。
【００４５】
なお、上記固定ピン８５と凹部８４ａのような固定部８４と、摺動位置規制部によってレバー２６とレバーパイプ２６ａの伸縮位置設定をおこなうことも可能である。
【００４６】
【発明の効果】
本発明の身体訓練装置によれば、両端部にグリップを有してフレームに対して回転軸により回動可能に斜め下向きに支持された略Ｕ字形のレバーを、前記フレーム近傍のウエイト吊支持用枠体内で昇降可能なウエイトの選択した負荷に抗して前後方向へ回動させることにより、所定部位の筋肉訓練を行う身体訓練装置において、前記レバー先端のグリップの回転軸に対する位置を、訓練者の状態に対応して調整する位置調整部が設けられてなることにより、非健常者訓練時に、訓練者が上肢の運動に障害がある場合などに、座った位置に対してグリップの把持位置を非健常者の運動能力に合わせて健常者の使用状態とは変化させる、あるいは、このリハビリテーション等のため、その訓練目的のために健常者の使用状態とは変化させるために、レバー先端付近のグリップを、非健常者等訓練用の所定の初期位置に調整することが可能となり、健常者に比べて上肢などの可動領域の狭い訓練者にも訓練可能とするとともに、訓練状態を精確に設定して、より細かな設定が必要である非健常者の訓練に使用することが可能となるという効果を奏することができる。
【図面の簡単な説明】
【図１】本発明に係る身体訓練装置の第１実施形態を示す側面図である。
【図２】図１の身体訓練装置を示す平面図である。
【図３】図１の身体訓練装置を示す前面図である。
【図４】図１の調整部６０の他の実施形態を示す正面図である。
【図５】本発明に係る身体訓練装置における調整部７０の第２実施形態を示す側面図である。
【符号の説明】
１     身体訓練装置
２０   Ｌフレーム
２０ａ ポール
２０ｂ 前フレーム
２０ｃ アンダーバー
２２   軸受け
２３   シャフト（回転軸）
２４   カウンターアーム
２５   カウンターウエイト
２６   レバー
２６ａ レバーパイプ
２６ｃ 固定ピン
２６ｂ 固定穴
２６ｄ 固定穴
２７，２８     グリップ
２９   ストッパ
３０   シート固定部
３１   パイプ
３１ａ 固定パイプ
３１ｂ 嵌合パイプ
３３   シート
３４，３２     シートパッド
３５ｂ 内側パイプ（パイプ）
３５ａ 外側パイプ（パイプ）
３７   ステップバー
３７ａ，３７ｂ パイプ
３７ｃ 定ねじ
４１   アーム
４２   ベルト
４３   シャフト
４４   ローラ
４５   ローラ
５０   ウエイト吊支持用枠体
５１   アンダーバー
５２   サイドバー
５３   ガイドロッド
５４   ウエイト連結部
５５   ワイヤ
５６，５７     ローラ
５８   ローラ
８１   グリップ回転軸
８２   円板
８３   アーム
８４   固定部
８４ａ 凹部
８５   固定ピン
８５ａ ばね
８５ｂ ノブ
８５ｃ 先端ピン
Ｗ     ウエイト
【図１】
2004201944.tif 000003
【図２】
2004201944.tif 000004
【図３】
2004201944.tif 000005
【図４】
2004201944.tif 000006
【図５】
2004201944.tif 000007